(57)【要約】【課題】安価で、運転の切り忘れを確実に防止した空気調和装置の制御装置を提供する。【解決手段】例えば、リモコン６のリモコン制御装置７に、切り忘れ防止タイマ機能を構成するタイマ４１と、設定時間ｔを記憶させる記憶部４２とを備えるとともに、コネクタ４３ａを備える。そして、別体に備えられた設定装置３０をコネクタ４３ａへ接続し、設定装置３０より、前記切り忘れ防止タイマ機能の実行および解除の設定、並びに、設定時間ｔの設定を行なわせ、設定完了後は、リモコン制御装置７から取り外してしまう。これにより、集中制御装置などを設置して、前記リモコン６の操作を制限させなくても、また、リモコン６を誤って、或いは、いたずらに操作して前記切り忘れ防止タイマ機能が解除されてしまうことが無くなるため、空気調和装置５０の安価で確実な切り忘れ防止が行える。【選択図】      図５
2004257693.tif 000002
【特許請求の範囲】
【請求項１】
空気調和装置の運転開始と同時に起動し、設定時間経過後に前記空気調和装置の運転動作を停止させる切り忘れ防止タイマ機能を制御装置内に有する空気調和装置において、
前記切り忘れ防止タイマ機能がカウントする前記設定時間を記憶する記憶部を前記制御装置内に備え、前記切り忘れ防止タイマ機能の実行および解除の設定、並びに、前記設定時間の設定を、前記制御装置とは別体に備えた設定装置で行うことを特徴とする空気調和装置。
【請求項２】
前記切り忘れ防止タイマ機能の実行および解除の設定、並びに、前記設定時間の設定は、前記設定装置から前記制御装置へ通信により行うことを特徴とする請求項１に記載の空気調和装置。
【請求項３】
前記設定装置は、コネクタなどの着脱可能な機構を備え、前記制御装置との着脱を可能としたことを特徴とする請求項１または２に記載の空気調和装置。
【請求項４】
前記切り忘れ防止タイマ機能および前記記憶部を、前記空気調和装置を構成する室外ユニットまたは室内ユニット、および、前記空気調和装置の遠隔操作を行う遠隔操作装置等に備えられた制御装置の少なくともいずれかの制御装置内に備えたことを特徴とする請求項１乃至３のいずれかに記載の空気調和装置。
【発明の詳細な説明】
【０００１】
【発明の属する技術分野】
本発明は空気調和装置に係り、特に設定時間後に運転が停止される切りタイマ機能を備える制御装置を有する空気調和装置に関する。
【０００２】
【従来の技術】
従来より空気調和装置には、タイマ機能を有するものがあり、このタイマ機能には、設定時間後に前記空気調和装置の運転を開始させる入りタイマ機能、設定時間後に前記空気調和装置の運転が停止される切りタイマ機能、および、前記入りタイマ機能と前記切りタイマ機能とを組み合わせた入切りタイマ機能がある。
【０００３】
これらのタイマ機能は、使い勝手の観点から前記空気調和装置の室内ユニットに接続された遠隔操作装置（以下、リモコンという。）での設定が行える様になっており、前記タイマ機能の実行および解除の設定、並びに、設定時間の設定は、前記リモコンで通常の操作する通常操作モードで行えるものとなっている。
【０００４】
しかし、前記リモコンで手軽に前記タイマ機能の実行および解除の設定の操作が行えるため、前記空気調和装置の切り忘れ防止で、前記切りタイマを実行させていても、不用意に解除されてしまうことがあった。
【０００５】
特に、学校や会社、或いは、公共の施設などの複数台の空気調和装置が設置されている様な施設では、多数の利用者が、前記リモコンを操作して前記空気調和装置の運転を行い、そのまま帰宅してしまうケースがあるため、問題となっていた。
【０００６】
このため、前記リモコンなどに、前記通常操作モードで行える前記入りタイマ機能、前記切りタイマ機能、前記入切りタイマ機能の他に、通常操作モードでは、同時に操作されることが無い複数の操作スイッチを同時に操作するなどして、前記リモコンなどを前記通常操作モードから、メンテナンス作業者などが、該空気調和装置の初期設定などを行なう様設けられた設定モードへと変更し、実行および解除の設定、並びに、前記設定時間の設定を操作する切り忘れ防止タイマ機能を備えるものもあった（例えば、特許文献１参照）。
【０００７】
【特許文献１】
特開平０９−１４７２１号（第３−４頁、第２図、第３図）
【０００８】
【発明が解決しようとする課題】
しかしながら、前記リモコンは、通常、操作し易い位置に設置されているからか、前記利用者のなかには、前記リモコンの前記設定モードへの変更方法を故意に調べて、前記切り忘れ防止タイマ機能を解除してしまう者がいるため、上記の様に、前記リモコンへ、通常とは異なる操作を行わなければならない前記設定モードを設けても、確実な前記空気調和装置の切り忘れ防止を行うことが出来なかった。
【０００９】
また、この対策として、上記学校や会社などの施設では、管理室などに前記空気調和装置の一括管理が行える集中制御装置を設けて、この集中制御装置より前記リモコンで行える設定操作の範囲を制限させるとともに、前記管理室から前記空気調和装置の運転開始および運転停止を行なっていた。これであれば、前記管理室に在室する管理者が切り忘れてしまわない限り、前記空気調和装置の切り忘れ防止を行うことも可能であるが、この集中制御装置は、前記リモコンの設定操作の範囲を制限させる以外にも接続された各空気調和装置の各種設定が行なえるなどの様々な機能を備えた装置で有るため、高価なものであった。
【００１０】
このことより、本発明の目的は、安価で、運転の切り忘れを確実に防止した空気調和装置の制御装置を提供することにある。
【００１１】
【課題を解決するための手段】
請求項１に記載の発明は、空気調和装置の運転開始と同時に起動し、設定時間経過後に前記空気調和装置の運転動作を停止させる切り忘れ防止タイマ機能を制御装置内に有する空気調和装置において、前記切り忘れ防止タイマ機能がカウントする前記設定時間を記憶する記憶部を前記制御装置内に備え、前記切り忘れ防止タイマ機能の実行および解除の設定、並びに、前記設定時間の設定を、前記制御装置とは別体に備えた設定装置で行うことを特徴とするものである。
【００１２】
請求項２に記載の発明は、請求項１に記載のものにおいて、前記切り忘れ防止タイマ機能の実行および解除の設定、並びに、前記設定時間の設定は、前記設定装置から前記制御装置へ通信により行うことを特徴とするものである。
【００１３】
請求項３に記載の発明は、請求項１または２に記載のものにおいて、前記設定装置は、コネクタなどの着脱可能な機構を備え、前記制御装置との着脱を可能としたことを特徴とするものである。
【００１４】
請求項４に記載の発明は、請求項１乃至３のいずれかに記載のものにおいて、前記切り忘れ防止タイマ機能および前記記憶部を、前記空気調和装置を構成する室外ユニットまたは室内ユニット、および、前記空気調和装置の遠隔操作を行う遠隔操作装置等に備えられた制御装置の少なくともいずれかの制御装置内に備えたことを特徴とするものである。
【００１５】
【発明の実施の形態】
以下、本発明の一実施の形態について、図を参照しながら説明する。
【００１６】
まず、図１は、切り忘れ防止タイマ機能を備えた空気調和装置５０の冷媒回路図である。
【００１７】
空気調和装置５０は、例えば、室外ユニット１から延びるガス管３ａと液管３ｂとからなるユニット間配管３、および、通信配線４に、室内ユニット２を接続して構成している。さらに、室内ユニット２には、リモコン６から延びるサブ通信配線５が接続されている。
【００１８】
室外ユニット１には、冷媒を圧縮して吐出する圧縮機１０と、前記冷媒の循環方向を反転させる四方弁１１と、前記冷媒と外気との熱交換を行わせる室外熱交換器１２と、前記冷媒の流量調節および減圧を行う室外膨張弁１３と、前記圧縮機１０へ吸引される冷媒の気液分離を行うアキュームレータ１４とが冷媒配管で接続されて収納されており、この室外ユニット１の制御、および、後述する室内ユニット２の室内制御装置２２との通信を行う室外制御装置１５が収納されている。
【００１９】
室内ユニット２には、室内空気と前記冷媒との熱交換を行う室内熱交換器２０と、前記冷媒の流量調節および減圧を行う室内膨張弁２１とが冷媒配管で接続されて収納されており、この室内ユニット２の制御、および、前述の室外ユニット１の室外制御装置１５並びに後述するリモコン制御装置７との通信を行う室内制御装置２２が収納されている。
【００２０】
リモコン６には、室内制御装置２２との通信を行うとともに、空気調和装置５０の運転開始および運転停止を行う図示しない操作部と、前記空気調和装置５０の運転状態を表示させる図示しない表示部とを備えたリモコン制御装置７とが収納されている。
【００２１】
このリモコン制御装置７には、図２に示す様に、リモコン６の制御や室内制御装置２２との通信を行うコントローラ部４０と、空気調和装置５０の運転開始からの経過時間をカウントするタイマ４１と、空気調和装置５０を停止させる経過時間の設定時間ｔを記憶させる記憶部４２と、コネクタ４３ａとが備えられており、前記切り忘れ防止タイマ機能は、これらコントローラ部４０、タイマ４１、および、記憶部４２により構成されている。
【００２２】
この切り忘れ防止タイマ機能は、リモコン６の図示しない操作部を操作して、空気調和装置５０の運転開始を行わせた場合、この運転開始とともにタイマ４１が起動して、空気調和装置５０の運転の経過時間をカウントし、このカウントされたカウント時間ｔ１が、記憶部４２に記憶させられた設定時間ｔに達した場合、コントローラ部４０へ空気調和装置５０の停止の指示を送り、空気調和装置５０の運転動作を停止させる機能である。図３のフローチャートを参照しながら動作の説明をすると、例えば、前記切り忘れ防止タイマ機能の実行が設定されている状態で、リモコン６の図示しない前記操作部が操作され、空気調和装置５０の運転が開始すると、リモコン制御装置７では、空気調和装置５０が運転中であるか否かを判断し（Ｓ１）、運転中であると判断すると、タイマ４１のカウントを行い（Ｓ２）、このタイマ４１のカウント時間ｔ１が設定時間ｔに達した否かを判断する（Ｓ３）。そして、前記カウント時間ｔ１が設定時間ｔに達していなければ、ステップＳ１へと戻って、上記各ステップを繰り返し、前記カウント時間ｔ１が設定時間ｔに達していれば、室内制御装置２２へ運転動作の停止信号を送信し（Ｓ４）、タイマ４１をリセットして（Ｓ５）ステップＳ１へと戻る。また、ステップＳ１で、空気調和装置５０が停止中であると判断すると、ステップＳ５へ進み、タイマ４１をリセットしてステップＳ１へと戻るものとなっている。
【００２３】
そして、本発明は、前記切り忘れ防止タイマ機能の実行および解除の設定、並びに、前記記憶部４２へ記憶させる前記設定時間ｔの設定を、リモコン制御装置７と別体に備えた図４に示す設定装置３０により行うものである。
【００２４】
このため、上述の様に、リモコン制御装置７には、この設定装置３０と接続するためのコネクタ４３ａが備えられており、前記切り忘れ防止タイマ機能の実行および解除の設定、並びに、設定時間ｔの設定を行う機能は備えられていない。
【００２５】
そして、設定装置３０は、図４に示す様に、前記コネクタ４３ａに接続するコネクタ４３ｂを設定装置本体３１から延びる接続配線３２の先端に備えている。この設定装置本体３１には、前記切り忘れ防止タイマ機能の実行および解除を選択する設定スイッチ３３と、前記設定時間ｔを選択する増減スイッチ３４と、前記設定スイッチ３３および前記増減スイッチ３４を操作して設定された内容をリモコン制御装置７へ送信させる送信スイッチ３５が設けられている。
【００２６】
そして、前記空気調和装置５０へ前記切り忘れ防止タイマ機能の実行を設定する場合には、図５に示す様に、まず、リモコン制御装置７のコネクタ４３ａへ、設定装置３０のコネクタ４３ｂを接続し、増減スイッチ３４を操作して、前記設定時間ｔの設定を行なう。次に、設定スイッチ３３を操作して前記切り忘れ防止タイマ機能の実行を選択し、送信スイッチ３５を操作して、上記設定時間ｔと前記切り忘れ防止タイマ機能の実行のデータを前記リモコン制御装置７へ送信する。
【００２７】
これに対し、前記空気調和装置５０へ前記切り忘れ防止タイマ機能の解除を設定する場合には、まず、リモコン制御装置７のコネクタ４３ａへ、設定装置３０のコネクタ４３ｂを接続し、設定スイッチ３３を操作して前記切り忘れ防止タイマ機能の解除を選択し、送信スイッチ３５を操作して、前記切り忘れ防止タイマ機能の解除のデータを前記リモコン制御装置７へ送信する。
【００２８】
以上のことが終了したならば、コネクタ４３ｂをコネクタ４３ａより取り外して、前記切り忘れ防止タイマ機能の実行または解除の設定が完了する。
【００２９】
この様に、前記切り忘れ防止タイマ機能の実行および解除、並びに、設定時間ｔの設定を、着脱可能な設定装置３０で設定することにより、リモコン制御装置７へ、前記切り忘れ防止タイマ機能の設定を行なう特別な設定機能を備える必要が無くなるため、安価なリモコンとすることができる。また、設定装置３０が接続されていなければ、誤って、或いは、いたずらに、前記切り忘れ防止タイマ機能が解除されてしまうこともないので、空気調和装置５０が運転され、切り忘れて不経済な空調運転を行ってしまうこともない。つまり、確実な空気調和装置５０の切り忘れ防止が行える。もちろん、上記の様に、リモコン制御装置７では、この切り忘れ防止タイマ機能の実行および解除を設定することが出来ないため、このリモコン制御装置７の操作範囲を限定させる目的で集中制御装置などの高価な制御装置を接続する必要がないことは言うまでもない。
【００３０】
なお、本実施の形態では、前記切り忘れ防止タイマ機能をリモコン制御装置７に備えるものとして説明したが、特にこれに限らず、室内ユニット２の室内制御装置２２、或いは、室外ユニット１の室外制御装置１５に備えるものとすることも可能である。同様に、設定装置３０もリモコン制御装置７へ接続されるものとして説明したが、特ににこれに限らず、室内制御装置２２や、室外制御装置１５に接続されるものとしても良い。
【００３１】
また、本実施の形態では、１台の室内ユニット１と１台の室内ユニット２とをユニット間配管３で接続した１冷媒系統の空気調和装置５０で説明したが、前記空気調和装置５０を、複数台の室内ユニット２を接続して構成される多室型空気調和装置としても、或いは、複数系統の空気調和装置としても構わない。
【００３２】
【発明の効果】
以上の説明より、制御装置内に備えられた前記切り忘れ防止タイマ機能の実行および解除、並びに、この切り忘れ防止タイマ機能がカウントする設定時間を、この制御装置とは別体に備えた設定装置により設定させることにより、設定完了後、前記設定装置を前記制御装置から取り外してしまえば、前記切り忘れ防止タイマ機能の実行および解除、並びに、前記設定時間の設定変更を行うことが出来ないため、空気調和装置の確実な切り忘れ防止を行わせることが可能となるとともに、高価な集中制御装置などを用いて、リモコンなどの遠隔操作装置の設定範囲を制限させる必要もないため、安価な空気調和装置の切り忘れ防止を行うことができる。
【図面の簡単な説明】
【図１】空気調和装置の冷媒回路図である。
【図２】リモコン制御装置のブロック図である。
【図３】切り忘れ防止タイマ機能の動作を示したフローチャートである。
【図４】設定装置のブロック図である。
【図５】切り忘れ防止タイマ機能の設定について示した図である。
【符号の説明】
４  通信配線
５  サブ通信配線
６  リモコン
７  リモコン制御装置
３０  設定装置
３１  設定装置本体
３２  通信配線
３３  設定スイッチ
３４  増減スイッチ
３５  送信スイッチ
４０  コントローラ部
４１  タイマ
４２  記憶部
４３ａ  コネクタ
４３ｂ  コネクタ
【図１】
2004257693.tif 000003
【図２】
2004257693.tif 000004
【図３】
2004257693.tif 000005
【図４】
2004257693.tif 000006
【図５】
2004257693.tif 000007